(57)【要約】【課題】夏季でも収穫することができる栽培装置を提供する。【解決手段】長尺状のいちご栽培ベンチ２には、いちご９が並べて植えられている。周囲温度を冷却する冷却管３がいちご栽培ベンチ２内の培土８上に配置される。第１のパーティション部５２が、いちご栽培ベンチ２の底面を覆う。一対の第２のパーティション部５３が、第１のパーティション部５２の幅方向の両端部から上方に延在して配置され、互いの間にいちご栽培ベンチ２を位置付ける。さらに、第３のパーティション部６が第２のバーティーション部５３間の上部開口を覆う。【選択図】図３
2014176337.tif 000002
【特許請求の範囲】
【請求項１】
植物が並べて植えられた長尺状の栽培ベンチを備えた栽培装置において、
前記栽培ベンチ内の培土上に配置され、周囲温度を冷却する冷却部と、
前記栽培ベンチの底面を覆う第１のパーティション部と、
前記第１のパーティション部の幅方向の両端部から上方に延在して配置され、互いの間に前記栽培ベンチを位置付ける一対の第２のパーティション部と、
を備えたことを特徴とする栽培装置。
【請求項２】
前記一対の第２のパーティション部の下端を中心に上端が、回転可能に設けられている
ことを特徴とする請求項１に記載の栽培装置。
【請求項３】
前記第１のパーティション部及び前記第２のパーティション部が、第１のシートから構成され、
前記第１のシートを支持し、前記栽培ベンチの長手方向に沿って複数並べて配置された第１の支持部をさらに備えた
ことを特徴とする請求項１又は２に記載の栽培装置。
【請求項４】
前記一対の第２のパーティション部間の上部開口を覆う第３のパーティション部を備えた
ことを特徴とする請求項１〜３何れか１項に記載の栽培装置。
【請求項５】
前記第３のパーティション部が、第２のシートから構成され、
前記第２のシートを支持し、前記栽培ベンチの長手方向に沿って複数並べて配置された第２の支持部に支持されている
ことを特徴とする請求項４に記載の栽培装置。
【請求項６】
前記第２のシートを巻き取る巻取部をさらに備えた
ことを特徴とする請求項５に記載の栽培装置。
【発明の詳細な説明】
【技術分野】
【０００１】
本発明は、栽培装置に関するものである。
【背景技術】
【０００２】
通常の一季成りいちごの栽培では、育苗の専用施設（以下「育苗棟」という。）において５月下旬頃から親株より発生するランナーを育苗ポットに受け、苗を成熟させて花芽分化を確認した後、定植適期（９月中旬頃）にいちごを収穫する圃場（以下、「本圃場」という。）に定植するため、未成熟期間となる７月から８月は風通しの良い育苗ポットの状態であっても高温障害が発生しやすい。
【０００３】
夏季のビニールハウス内の気温は開放した状態でも日中４５℃以上に達し、いちご栽培においては壊滅的な打撃を被る炭そ病など伝染病発生の大きな要因となる。ビニールハウス内の気温上昇に併せて培地温度も上昇するため、夏季に未成熟のいちご苗を定植することは枯死を招くこととなるため、通常、いちご苗の本圃場への定植は夏季の気温が低下を始める９月中旬頃となり収穫は１１月下旬頃からとなる。
【０００４】
９月から１０月の収穫を目指す場合は、７月から８月に定植する必要があるが、未成熟苗を高温となっている本圃場に定植すると、枯死や伝染病（炭そ病）による被害が想定され、夏季に収穫するのが難しい、という問題があった。
【０００５】
仮に被害を免れた場合においても未成熟苗は栄養成長であるため着花に至らず、いちごの早期収穫は不可能である。また、いちごの収穫時期は、一般的に開花してから生育する日々の平均温度を積算して約６００℃に達したときとなるため、開花後の平均温度が高い場合は成熟期間が短くなることにより、低糖度かつ小玉となる。
【発明の概要】
【発明が解決しようとする課題】
【０００６】
そこで、本発明は、夏季においても収穫又は開花が可能となる栽培装置を提供することを課題とする。
【課題を解決するための手段】
【０００７】
上述した課題を解決するための請求項１記載の発明は、植物が並べて植えられた長尺状の栽培ベンチを備えた栽培装置において、前記栽培ベンチ内の培土上に配置され、周囲温度を冷却する冷却部と、前記栽培ベンチの底面を覆う第１のパーティション部と、前記第１のパーティション部の幅方向の両端部から上方に延在して配置され、互いの間に前記栽培ベンチを位置付ける一対の第２のパーティション部と、を備えたことを特徴とする。
【０００８】
請求項２記載の発明は、請求項１に記載の栽培装置であって、前記一対の第２のパーティション部の下端を中心に上端が、回転可能に設けられていることを特徴とする。
【０００９】
請求項３記載の発明は、請求項１又は２に記載の栽培装置であって、前記第１のパーティション部及び前記第２のパーティション部が、第１のシートから構成され、前記第１のシートを支持し、前記栽培ベンチの長手方向に沿って複数並べて配置された第１の支持部をさらに備えたことを特徴とする。
【００１０】
請求項４記載の発明は、前記一対の第２のパーティション部間の上部開口を覆う第３のパーティション部を備えたことを特徴とする。
【００１１】
請求項５記載の発明は、請求項４に記載の栽培装置であって、前記第３のパーティション部が、第２のシートから構成され、前記第２のシートを支持し、前記栽培ベンチの長手方向に沿って複数並べて配置された第２の支持部に支持されていることを特徴とする。
【００１２】
請求項６記載の発明は、請求項５に記載の栽培装置であって、前記第２のシートを巻き取る巻取部をさらに備えたことを特徴とする。
【発明の効果】
【００１３】
以上説明したように請求項１記載の発明によれば、冷却部からの比重の重い冷気が第１のパーティション部及び第２のパーティション部により形成された凹部に溜まり、効率的に栽培ベンチを冷やすことができ、夏季での収穫が可能となる。
【００１４】
請求項２記載の発明によれば、植物の収穫などの栽培管理を行うときは一対の第２のパーティション部の上端を下側に向けて倒すことにより、収穫などの栽培管理を行う際の作業効率の低下を防止することができる。
【００１５】
請求項３記載の発明によれば、栽培ベンチの長手方向に沿って複数の第１の支持部を並べ、その第１の支持部に第１のパーティション部、及び、第２のパーティション部を構成する第１のシートを取り付けることにより、簡単に第１のパーティション部及び第２のパーティション部を設けることができる。
【００１６】
請求項４記載の発明によれば、一対の第２のパーティション部間の上部開口を覆う第３のパーティション部により、冷却部からの冷気を第１〜第３のパーティション部内に閉じ込めることができ、より効率的に栽培ベンチを冷やすことができる。また、第３のパーティション部に遮光性を持たせれば、日照時間を調整することもでき、夏季での収穫がより高い確率で実現できる。
【００１７】
請求項５記載の発明によれば、栽培ベンチの長手方向に沿って複数の第２の支持部を並べ、その第２の支持部に第３のパーティション部を構成する第２のシートを取り付けることにより、簡単に第３のパーティション部を設けることができる。
【００１８】
請求項６記載の発明によれば、第２のシートを巻取部で巻き取ることにより、一対の第２のパーティション部間の上部開口を開けることができ、巻取部から第２のシートを巻き戻すことにより、一対の第２のパーティション部間の開口を第２のシートで覆うことができる。これにより、一対の第２のパーティション部間の開口の開閉を簡単に行うことができる。
【図面の簡単な説明】
【００１９】
【図１】本発明の栽培装置の側面図である。
【図２】図１に示す栽培装置の部分斜視図である。
【図３】図１のＩ−Ｉ線断面図である。
【図４】他の実施形態における本発明の栽培装置の側面図である。
【発明を実施するための形態】
【００２０】
以下、本発明の栽培装置について図１〜図３を参照して説明する。図１は、本発明の栽培装置の側面図である。図２は、図１に示す栽培装置の部分斜視図である。なお、図２からは後述する第１の遮光シート５及び第２の遮光シート６は取り除いてある。図３は、図１のＩ−Ｉ線断面図である。なお、図３にはいちご９の図示が省略してある。
【００２１】
いちご栽培用の温室内においては多数列の栽培装置１が配置されている。同図に示すように、栽培装置１は、長尺状のいちご栽培ベンチ２（＝栽培ベンチ）と、いちご栽培ベンチ２の培土８上に配置され、周囲温度を冷却する冷却管３（＝冷却部）と、いちご栽培ベンチ２を支持する支持部４と、この支持部４に取り付けられ、いちご栽培ベンチ２を覆う第１の遮光シート５及び第２の遮光シート６と、第２の遮光シート６を巻き取る巻取部７と、を備えている。
【００２２】
いちご栽培ベンチ２は、長尺状の略箱型に設けられ、上方が開口されている。このいちご栽培ベンチ２には、培土８が収容され、いちご９（＝植物）がその長手方向に沿って並べて植えられている。本実施形態では、１つのいちご栽培ベンチ２にいちご９が２列並べて植えられる例について説明するが、１列だけでもよいし、３列以上であってもよい。
【００２３】
冷却管３は、培土８上に複数のいちご９の並び方向（＝いちご栽培ベンチ２の長手方向）に沿って配置されている。冷却管３は、いちご９の列と列との間に配置されている。この冷却管３の上部には、長手方向に沿って複数の開口（図示せず）が設けられている。また、冷却管３内には、一部に水が注入されていて、その水の中に図示しない熱交換用配管が沈められている。
【００２４】
この熱交換用配管内に冷水を流すことにより、冷却管３内に注入された水を冷やすと共に冷却管３内の空気を冷やす。さらに、図示しない小型ファンで冷却管３内を送風することにより、この冷えた空気を開口から冷却管３外部に放出している。本実施形態では、上記構成の冷却管３を用いた例について説明するが、冷却管３としては周囲温度を冷却できるものであればよく、単に冷水を流すようなものであってもよい。
【００２５】
支持部４は、例えばスチール製のパイプを組み合わせて設けられている。支持部４は、いちご栽培ベンチ２の長手方向に沿って並べて配置され、いちご栽培ベンチ２、第１の遮光シート５及び第２の遮光シート６が取り付けられる複数の支持部本体４１と、複数の支持部本体４１を連結する第１の連結シャフト４２及び第２の連結シャフト４３と、を備えている。
【００２６】
支持部本体４１は、いちご栽培ベンチ２の底面を支持する第１の支持アーム４１Ａと、第１の支持アーム４１Ａを支持する一対の支持台４１Ｂと、第１の支持アーム４１Ａの幅方向両端に一端が取り付けられた一対の第２の支持アーム４１Ｃと、第１の支持アーム４１Ａから上方に延在して設けられた一対の第３の支持アーム４１Ｄと、一対の第３の支持アーム４１Ｄの上端を連結する連結アーム４１Ｅと、を有している。
【００２７】
第１の支持アーム４１Ａは、いちご栽培ベンチ２の幅方向に沿って設けられ、いちご栽培ベンチ２よりも幅方向外側に延在している。一対の支持台４１Ｂは各々、鉛直方向に沿って設けられ、上端が第１の支持アーム４１Ａに連結し、下端が地面に固定されている。
【００２８】
一対の第２の支持アーム４１Ｃはそれぞれ、図２では省略して記載しているが、その一端が第１の支持アーム４１Ａに軸着され、その上端が回転可能に取り付けられている。これにより、一対の第２の支持アーム４１Ｃは、一端を中心に互いの他端が回転可能に設けられる。図３に示すように、この一対の第２の支持アーム４１Ｃの他端を上方に向けると、一対の第２の支持アーム４１Ｃが、第１の支持アーム４１Ａの幅方向両端からいちご栽培ベンチ２よりも上方に延在する。
【００２９】
一対の第３の支持アーム４１Ｄは、一対の第２の支持アーム４１Ｃよりも内側の第１の支持アーム４１Ａから上方に延在して設けられている。一対の第３の支持アーム４１Ｄは、互いの間にいちご栽培ベンチ２を位置付けて設けられる。連結アーム４１Ｅは、逆Ｕ字状に設けられ、一対の第３の支持アーム４１Ｄの上端同士を連結する。
【００３０】
一対の第１の連結シャフト４２は、長手方向に沿って設けられ、いちご栽培ベンチ２の幅方向両側に設けられた一対の第２の支持アーム４１Ｃの他端をそれぞれ連結する。この一対の第１の連結シャフト４２は、長手方向に分割されている。これにより、図２に示すように、長手方向に沿って並べられた複数の第２の支持アーム４１Ｃのうち一部の他端を上方に向け、一部の他端を下方に向けることができる。第２の連結シャフト４３も、長手方向に沿って設けられ、連結アーム４１Ｅの頂上同士を連結する。
【００３１】
第１の遮光シート５（＝第１のシート）は、図３に示すように、通し孔５１に一対の支持台４１Ｂをそれぞれ通して、第１の支持アーム４１Ａの下側を覆うように取り付けられる。さらに、第１の遮光シート５は、一対の第２の支持アーム４１Ｃの外側を覆うように取り付けられ、その幅方向端部が一対の第１の連結シャフト４２に巻き付けられる。この第１の遮光シート５が巻き付いた状態の第１の連結シャフト４２にＣ字状のクリップ１０（図１）を嵌めることにより、第１の遮光シート５を第１の支持アーム４１Ａ及び一対の第２の支持アーム４１Ｃに取り付けることができる。
【００３２】
上記第１の遮光シート５において第１の支持アーム４１Ａに沿って取り付けられた部分が、いちご栽培ベンチ２の底面を覆う第１のパーティション部５２となる。また、第１の遮光シート５において一対の第２の支持アーム４１Ｃに沿って取り付けられた部分が、第１のパーティション部５２の幅方向の両端部からいちご栽培ベンチ２よりも上方に延在して配置され、互いの間にいちご栽培ベンチ２を位置付ける一対の第２のパーティション部５３となる。以上のことから明らかなように、第１の支持アーム４１Ａ及び第２の支持アーム４１Ｃが請求項中の第１の支持部に相当する。
【００３３】
第２の遮光シート６（＝第２のシート）は、第３の支持アーム４１Ｄ、連結アーム４１Ｅ及び第２の連結シャフト４３の上側を覆うように取り付けられている。また、第２の遮光シート６を上方に配置した状態で、第２の連結シャフト４３にＣ字状のクリップ１１（図２）を嵌めることにより、第２の遮光シート６を第２の連結シャフト４３、連結アーム４１Ｅ及び第３の支持アーム４１Ｄに取り付けることができる。
【００３４】
第２の遮光シート６の幅方向両端は、巻取部７によって巻き取られている。この巻取部７を巻き戻して連結アーム４１Ｅ及び第３の支持アーム４１Ｄ上に第２の遮光シート６を配置すると、一対の第２のパーティション部５３間の上部開口を覆う第３のパーティション部となる。以上のことから明らかなように、第３の支持アーム４１Ｄ及び連結アーム４１Ｅが請求項中の第２の支持部に相当する。
【００３５】
上述した実施形態によれば、第１の遮光シート５の第１のパーティション部５２が、いちご栽培ベンチ２の底面を覆うように配置される。また、図３に示すように、第２の支持アーム４１Ｃの他端を上方に向けるようにすれば、一対の第２のパーティション部５３が、第２のパーティション部５３からいちご栽培ベンチ２よりも上方に延在して配置される。これにより、冷却管３からの冷気が第１のパーティション部５２及び第２のパーティション部５３により形成された凹部に溜まり、効率的にいちご栽培ベンチ２を冷やすことができ、夏季での収穫が可能となる。
【００３６】
また、上述した実施形態によれば、一対の第２のパーティション部５３が互いの上端が接離する方向に可倒に設けられている。これにより、図４に示すように、いちご９の収穫や肥料を与えるときは、一対の第２のパーティション部５３の上端を下側に向けるように倒すことにより、収穫などの栽培管理を行う際の作業効率の低下を防止することができる。
【００３７】
また、上述した実施形態によれば、いちご栽培ベンチ２の長手方向に沿って複数の支持部本体４１を並べ、その支持部本体４１に第１のパーティション部５２及び第２のパーティション部５３を構成する第１の遮光シート５を取り付けることにより、簡単に第１のパーティション部５２及び第２のパーティション部５３を設けることができる。
【００３８】
また、上述した実施形態によれば、図３に示すように、一対の第２のパーティション部５３間の開口を覆う第２の遮光シート６により、冷却管３からの冷気を第１及び第２の遮光シート５、６内に閉じ込めることができ、より効率的にいちご栽培ベンチ２を冷やすことができる。しかも、第２の遮光シート６により日を遮ることができるので、いちご９の日照時間の調整もすることができ、花芽分化を促進して夏季での収穫がより高い確率で実現可能となる。前述の効果はいちご９の苗を早期定植する場合に限ったものではなく、前年に定植したいちご９の収穫期間を夏季まで延長することも実現可能となる。
【００３９】
また、上述した実施形態によれば、いちご栽培ベンチ２の長手方向に沿って複数の支持部本体４１を並べ、その支持部本体４１に第２の遮光シート６を取り付けることにより、簡単に第３のパーティション部である第２の遮光シート６を設けることができる。
【００４０】
また、上述した実施形態によれば、第２の遮光シート６を巻取部７で巻き取ることにより、一対の第２のパーティション部５３間の上部開口を開けて、いちご９に日を当てることができる。また、巻取部７から第２の遮光シート６を巻き戻すことにより、一対の第２のパーティション部５３間の上部開口を第２の遮光シート６で覆い、いちご９から日を遮ることができる。これにより、一対の第２のパーティション部５３間の開口の開閉を簡単に行うことができ、簡単に日照時間の調整を行うことができる。
【００４１】
なお、上述した実施形態によれば、第２の遮光シート６を設けていたが、本発明はこれに限ったものではない。第２の遮光シート６を設けるのは必須の構成ではなく、図４に示すように、第１の遮光シート５だけ設けるようにしてもよい。
【００４２】
また、上述した実施形態によれば、第１及び第２のパーティション部５２及び５３を第１の遮光シート５で構成していたが、本発明はこれに限ったものではない。第１及び第２のパーティション部５２及び５３としては板状の硬い素材から構成するようにしてもよい。また、第１及び第２のパーティション部５２及び５３に遮光性を持たせるのは必須ではない。
【００４３】
また、上述した実施形態によれば、第２のパーティション部５３は、上端が下端を中心に回転可能に設けられていたが、本発明はこれに限ったものではない。第２のパーティション部５３としては収穫や肥料やりの作業に邪魔にならない程度の高さであれば、回転可能に設ける必要もない。
【００４４】
また、上述した実施形態によれば、第１の遮光シート５を支持する第１の支持アーム４１Ａ及び第２の支持アーム４１Ｃと、第２の遮光シート６を支持する第３の支持アーム４１Ｄ及び連結アーム４１Ｅと、が一つの支持部本体４１として一体に設けられていた。しかしながらが、本発明はこれに限ったものではなく、それぞれ別々に設けてもよい。
【００４５】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４６】
１  栽培装置
２  いちご栽培ベンチ（栽培ベンチ）
３  冷却管（冷却部）
５  第１の遮光シート（第１のシート）
６  第２の遮光シート（第３のパーティション部、第２のシート）
７  巻取部
８  培土
９  いちご
４１Ａ  第１の支持アーム（第１の支持部）
４１Ｃ  第２の支持アーム（第１の支持部）
４１Ｄ  第３の支持アーム４１Ｄ（第２の支持部）
４１Ｅ  連結アーム（第２の支持部）
５２  第１のパーティション部
５３  第２のパーティション部
【図１】
2014176337.tif 000003
【図２】
2014176337.tif 000004
【図３】
2014176337.tif 000005
【図４】
2014176337.tif 000006